(57)【要約】【課題】消火器の鉄製金属容器内面に完全な防錆処理を施すことにより、低コストの消火器を提供する。【解決手段】金属容器内に耐蝕性袋体を装入した後、該袋体を膨張させて金属容器内面に密着させるようにした。  これにより在来の内面塗装方式のものに比べ、ピンホール等の欠陥を生ずるおそれが無く、消火器の容器として安価な鉄製の金属容器を用いることができ、しかも長期間設置するも消火器としての機能を損なうことがなく、耐久性を著しく向上させることができる。【選択図】図１
2004194691.tif 000002
【特許請求の範囲】
【請求項１】
金属容器内に耐蝕性袋体を装入した後、該袋体を膨張させて金属容器内面に密着させるようにした消火器用金属容器内面の防錆処理方法。
【請求項２】
耐蝕性袋体を膨張させて金属容器内面に密着させる手法が、金属容器内面に、あらかじめ接着剤をコーティングするとともに、その後金属容器内に耐蝕性袋体を装入し、該袋体を膨張させて金属容器内面にコーティングされている接着剤に圧着させるものであるところの請求項１に記載の消火器用金属容器内面の防錆処理方法。
【請求項３】
耐蝕性袋体が熱変形性の有底樹脂材からなり、該袋体内に熱風を圧送して金属容器内面に密着させるものであるところの請求項１又は請求項２に記載の消火器用金属容器内面の防錆処理方法。
【請求項４】
金属容器内に筒状をした熱変形性の有底樹脂材を装入した後、該有底樹脂材内に加熱ガスもしくはエアを充填しつつ加熱膨張させて金属容器内面に密着させるようにした消火器用金属容器内面の防錆処理方法。
【発明の詳細な説明】
【０００１】
【発明の属する技術分野】
本発明は、とくに消火器の管胴部内面など、消火器用金属容器内面の防錆処理方法に関し、防錆処理の完全と処理コストの低減をはかることを目的とする。
【０００２】
【従来の技術】
消火器は設置後数年から数十年の長期にわたって緊急時に確実に機能しなければならないが、設置場所の環境如何にかかわらず、例えば液体系の消火薬剤をはじめとし、粉末系の消火剤であっても容器内に充填される消火薬剤の性質如何によっては容器の腐食を促進させるものが多い。
【０００３】
したがって消火器の薬剤を充填する容器については、本来耐蝕性を考慮して、たとえばステンレスやアルミなど耐蝕性に優れた材質のものを使用することが望まれるところであるが、消火器の容器としてステンレスやアルミなど耐蝕性に優れた材質のものを用いることは、材料および製造工程の両面において著しくコスト高となるために現実的ではなく、したがって一般的には鉄を中心とした安価な金属材が採用され、金属製容器内面に腐食防止のための塗装を施して使用に供している。
【０００４】
【発明が解決しようとする課題】
しかしながら鉄を使用する場合には、内面に施した塗装面のピンホールや塗膜割れなど僅かな塗装不良箇所から腐食が進行するために、塗装不良箇所の検査に熟練を要し、作業性の面においても課題が残されている。
【０００５】
【課題を解決するための手段】
そこで本発明は、上記した課題を解決し、低コストでありながら防錆処理の完全をはかるようにしたものであって、具体的には、請求項１の発明は、金属容器内に耐蝕性袋体を装入した後、該袋体を膨張させて金属容器内面に密着させるようにした消火器用金属容器内面の防錆処理方法に関する。
【０００６】
また請求項２の発明は、耐蝕性袋体を膨張させて金属容器内面に密着させる手法が、金属容器内面に、あらかじめ接着剤をコーティングするとともに、その後金属容器内に耐蝕性袋体を装入し、該袋体を膨張させて金属容器内面にコーティングされている接着剤に圧着させるものであるところの請求項１に記載の消火器用金属容器内面の防錆処理方法に関する。
【０００７】
さらに請求項３の発明は、耐蝕性袋体が熱変形性の有底樹脂材からなり、該袋体内に熱風を圧送して金属容器内面に密着させるものであるところの請求項１又は請求項２のいずれか１に記載の消火器用金属容器内面の防錆処理方法に関する。  さらに請求項４の発明は、金属容器内に筒状をした熱変形性の有底樹脂材を装入した後、該有底樹脂材内に加熱ガスもしくはエアを充填しつつ加熱膨張させて金属容器内面に密着させるようにした消火器用金属容器内面の防錆処理方法に関する。
【０００８】
上記した構成において、金属容器内に耐蝕性袋体を装入した後、該袋体内に高圧ガス又はエアを送り込んで十分に膨張させ、袋体の外面を金属容器の内面に密着させる。  この場合に金属容器内面に、あらかじめ接着剤をコーティングしてあると、袋体が金属容器の内面に、より一層十分に密着かつ一体化される。  さらに耐蝕性袋体が熱変形性の有底樹脂材である場合には、該袋体内に熱風を圧送することにより金属容器内面に対してより一層十分に密着される。  また筒状をした熱変形性の有底樹脂材を用いる場合においては、該筒状樹脂材内に高温の熱風を圧送することにより膨張させて金属容器内面に対して密着させることができる。
【０００９】
【発明の実施の形態】
以下において本発明の具体的な内容を図示の実施例をもとに説明すると、図１は本発明の第１実施例をあらわしている。  同図において１は金属容器、４は耐蝕性袋体を示す。  金属容器１は鉄製の有底筒状をなし、内部には消火薬剤やサイフォン管、さらには小型ガスボンベもしくは加圧ガスを充填し、さらに上部に消火器のヘッド部を取り付けるための開口部２を有するとともに、底部には着座３を一体に有している。
【００１０】
耐蝕性袋体４は、例えばポリ塩化ビニルやポリエチレン等の樹脂系の袋体、あるいはゴムなどの膨張性および耐蝕性に富む材質のものが選ばれ、金属容器１の内容積に合わせて膨張した際に金属容器１の内面を十分に被覆することができる程度の大きさのものを用意する。  開口部２から金属容器１内に耐蝕性袋体４を、該袋体の底部を先頭に装入し（図１Ａ参照）、さらに該袋体４の開口部から高圧のガスもしくはエアを充填して次第に膨張させ、その外周面を金属容器１の内壁面に圧着させることにより防錆処理をおこなう（図１Ｂ参照）。
【００１１】
この場合に、金属容器１の内面に、あらかじめ接着剤をコーティングするとともに、その後金属容器内に耐蝕性袋体４を装入し、該袋体４を膨張させて金属容器１の内面にコーティングされている接着剤に圧着させるようにすると、金属容器１と耐蝕性袋体４との密着性がより一層向上する。  また上記した耐蝕性袋体４が熱変形性の有底樹脂材からなり、該袋体４内に熱風を圧送して金属容器１の内面に密着させるようにしてもよい。
【００１２】
さらに図２は本発明の第２実施例をあらわしている。  これは金属容器１内に筒状をした熱変形性の有底樹脂材５を装入した後、該有底樹脂材５内に加熱ガスもしくはエアを充填しつつ膨張させて金属容器１の内面に密着させて防錆処理加工をおこなう。
【００１３】
具体的には、有底樹脂材５としてはポリエチレン（ＰＥ）や、ポリエチレン・テレフタレート（ＰＥＴ）樹脂等が用いられる。  これをある程度厚みがあり、しかも熱変形性に富む有底の中空筒状体に加工して用いるものとし、開口部２から金属容器１内に筒状の有底樹脂材５を、該樹脂材５の底部を先頭に装入し（図２Ａ参照）、さらに該樹脂材５の開口部から高温でしかも高圧のガスもしくはエアを充填して次第に膨張させ、その外周面を金属容器１の内壁面に圧着させる（図２Ｂ参照）。   なおこの場合に金属容器１の内面に、あらかじめ接着剤をコーティングしておくと、金属容器１と有底樹脂材５との一体的接着性が、より一層良好となる。
【００１４】
上記した各実施例の防錆処理方法により容器内面を処理した金属容器を消火器用として用いた場合、容器内に充填された消火薬剤や加圧ガスもしくはエアが鉄製の金属容器に直接触れることがないために、金属容器が発錆することがなく、従って長期間にわたる設置に十分耐えることができ、消火器としての機能を損なうことがないために安価でありながら著しく耐久性に富む。
【００１５】
【発明の効果】
本発明は上記した通り、金属容器内に耐蝕性袋体を装入した後、該袋体を膨張させて金属容器内面に密着させるようにしたために、在来の内面塗装方式のものに比べてピンホール等の欠陥を生ずる余地がなく、消火器の容器として安価な鉄製の金属容器を用いることができ、しかも長期間設置するも消火器としての機能を損なうことがなく、耐久性を著しく向上させることができる。
【図面の簡単な説明】
【図１】本発明の第１実施例である金属容器内面の防錆処理過程をあらわした消火器用金属容器の縦断面図。
【図２】本発明の第２実施例である金属容器内面の防錆処理過程をあらわした消火器用金属容器の縦断面図。
【符号の説明】
１        金属容器
２        開口部
３        着座
４        耐蝕性袋体
５        有底樹脂材
【図１】
2004194691.tif 000003
【図２】
2004194691.tif 000004